(57)【要約】 【課題】急傾斜面のように振動が生じやすい区間が、長い区間に渡る場合であっても、プローブに力を作用させて振動を低減しながらも、高精度に被測定面を測定する装置および方法を提供する。【解決手段】所定の周波数よりも高いプローブの動作を低減する作用力を求め、作用力に基づいてプローブに力を作用させながら、プローブを走査する。これにより、高周波の振動を低減することができる。また、低周波の振動を低減することがないため、被測定面の長い空間周期の形状に追従することができる。よって、プローブに力を作用させて振動を低減しながらも、高精度に被測定面を測定することができる。【選択図】図１
2014115085.tif 000002
【特許請求の範囲】
【請求項１】
プローブを被測定物に接触させつつ被測定物の被測定面を走査させるとともにプローブの位置を取得することで被測定物の被測定面の形状を測定する形状測定装置において、所定の周波数よりも高いプローブの動作を低減する作用力を求める作用力制御手段と、求めた作用力に基づいてプローブに加える力を発生する作用力発生手段と、を有することを特徴とする形状測定装置。
【請求項２】
プローブの位置データに対して、微分演算、高周波通過演算、比例係数を乗じて作用力を求めることを特徴とする請求項１に記載の接触式形状測定装置。
【請求項３】
位置データからプローブに作用力を作用させる間、低周波通過演算や帯域遮断演算の処理を行って、不要な周波数の信号を遮断することを特徴とする請求項２に記載の接触式形状測定装置。
【請求項４】
プローブの速度データに対して比例係数を乗じて、粘性特性を作用させて作用力を求めることを特徴とする請求項１に記載の接触式形状測定装置。
【請求項５】
プローブの位置データに対して比例係数を乗じて、剛性特性を作用させて作用力を求めることを特徴とする請求項１に記載の接触式形状測定装置。
【請求項６】
粘性特性、剛性特性及び慣性特性の少なくとも２つ以上を作用させることで作用力を求めることを特徴とする請求項１に記載の接触式形状測定装置。
【請求項７】
所定の周波数は、測定対象とする空間周期の下限値の逆数にプローブの走査速度を乗じた値よりも高い値であることを特徴とする請求項１に記載の接触式形状測定装置。
【請求項８】
プローブを被測定物に接触させつつ被測定物の被測定面を走査させるとともにプローブの位置を取得することで被測定物の被測定面の形状を測定する接触式形状測定方法において、所定の周波数よりも高いプローブの動作を低減する作用力を求め、求めた作用力に基づいてプローブに力を作用させながら、プローブを走査することを特徴とする接触式形状測定方法。
【請求項９】
プローブの位置データに対して、微分演算、高周波通過演算、比例係数を乗じて作用力を求めることを特徴とする請求項７に記載の接触式形状測定方法。
【請求項１０】
位置データからプローブに作用力を作用させる間、低周波通過演算や帯域遮断演算の処理を行って、不要な周波数の信号を遮断することを特徴とする請求項９に記載の接触式形状測定装置。
【請求項１１】
プローブの速度データに対して比例係数を乗じて、粘性特性を作用させることで作用力を求めることを特徴とする請求項８に記載の接触式形状測定方法。
【請求項１２】
プローブの位置データに対して比例係数を乗じて、剛性特性を作用させることで作用力を求めることを特徴とする請求項８に記載の接触式形状測定方法。
【請求項１３】
粘性特性、剛性特性及び慣性特性の少なくとも２つ以上を作用させることで作用力を求めることを特徴とする請求項８に記載の接触式形状測定方法。
【請求項１４】
所定の周波数は、測定対象とする空間周期の下限値の逆数にプローブの走査速度を乗じた値よりも高い値であることを特徴とする請求項８に記載の接触式形状測定方法。
【発明の詳細な説明】
【技術分野】
【０００１】
本発明は、光学素子や光学素子を製造するための成形用金型の形状を高精度に測定する接触式形状測定装置および方法に関する。
【背景技術】
【０００２】
撮像カメラをはじめとした各種光学製品の小型化に伴い、開口数の大きい光学素子の使用が増えている。このような光学素子の中には、開角±７０°を超える急傾斜面を有するものがある。急傾斜面を有する光学素子、あるいは光学素子を製造するための成形用金型の形状を測定する手段として、プローブを倣い走査して形状を測定する接触式形状測定装置が使用されている。
【０００３】
光学素子や成形用金型を被測定物として、被測定面の形状を測定する接触式形状測定装置の従来技術の一例として、特許文献１に開示された形状測定装置が挙げられる。プローブの一端を被測定面に接触させて、反対の一端の３次元位置を測定する。プローブとステージとの間にはバネ機構が設けられており、つりあい位置からステージを押し込むことで接触力を得る。ステージをＸＹ方向に駆動させると、プローブはＸＹ方向に動きながら被測定面２ａのＺ方向の形状に倣う。ステージは、所定の接触力に対応した押し込み量を保つようにＺ方向に追従制御される。プローブの一端の３次元位置を時系列に取得しながら、プローブを被測定面の全面に渡って走査することで、被測定面の測定データを得る。続いて、測定データを解析して形状情報を求める。一般的に、形状情報には、求めたい空間周期が定められている。対象とする接触式形状測定装置は、被測定面２ａの全面から幅０．１ｍｍ程度の空間周期の形状情報を求めることに適している。求めた形状情報は、光学素子の性能評価、あるいは形状を修正加工するための加工機への指令値などとして用いられる。
【０００４】
また、プローブを走査している時に、様々な要因でプローブが跳ねて振動してしまう現象が生じることがある。これにより、測定データに比較的空間周期の短いうねり形状が表れる。この短いうねり形状は、被測定面の形状情報を表しておらず、不要な形状である。この不要な形状が、求めたい空間周期よりも短いうねり形状であるならば、演算処理を行って除去することができる。しかし、プローブの振動は、測定箇所によって、その振幅が異なることが多い。急傾斜面の振動の振幅は、緩い傾斜面の振動の振幅と比べて大きい。振幅が測定箇所によって異なる場合、測定データに空間周期の長いうねり形状が表れることと等価と考えられる。被測定面の形状情報に、プローブの振動の影響が含まれることになる。
【０００５】
振動を低減する方法として、接触力を強くすることが考えられる。接触力を強くするには、バネ機構のバネ剛性を硬くしたり、押し込み量を大きくしたりすれば良い。接触力を強くすると、プローブが被測定面から浮いても、プローブを被測定面に戻そうとする力がより強く作用するため、振動を低減できる。しかし、接触力を強くすると、それに伴って被測定面の変形が大きくなる。また、被測定面から受ける抗力も強くなり、プローブの倒れや曲がりが大きくなる。このような状態では、被測定面の形状を正確に表す測定データを取得することができなくなる。そのため、測定データの信頼性が低下してしまう。
【０００６】
振動を低減する別の方法として、プローブとステージとの間に粘性を作用させることが考えられる。具体的には、減衰特性の高い材料や粘性流体を利用する方法が挙げられる。粘性を作用させれば、プローブとステージとの相対速度に比例した抵抗力が作用し、振動が低減する。しかし、プローブとステージとの間に粘性を作用させると、プローブは被測定面に倣う代わりにステージの動きに倣うことになる。ステージはそもそもプローブに追従して動作していること、およびステージの質量は大きく動き難いことを考慮すれば、ステージが被測定面の形状に沿って動いているとは考えづらい。そのため、ステージが被測定面の形状に沿わない量、具体的にはステージと被測定面の相対位置の変化量に応じて、プローブは被測定面に沿った方向と異なる方向に動こうとする。言い換えると、被測定面に押し付けられる方向、あるいは被測定面から離れる方向に大きな力が作用する。プローブが被測定面に強い力で押し付けられたり、被測定面から浮いてしまうと、測定データの信頼性が低下してしまう。
【０００７】
ここでは、ステージをプローブに追従して動作させる場合について説明したが、おおよその被測定面の形状に沿って動作させる方法も考えられる。しかし、この場合も、ステージの動作誤差が生じるため、同様の問題が生じる。
【０００８】
以上のように、急傾斜面を高精度に測定するためには、プローブの振動を低減することと、プローブを被測定面に倣わせることを両立することが求められる。特許文献２では、プローブの振動を低減する区間と、プローブを被測定面に倣わせる区間を、時分割で切り替える方法が開示されている。例えば、被測定面の上にゴミが付着している場合、プローブは、ゴミを越える時に跳ね上げられて振動することがある。接触力を弱く設定している場合、跳ね上げられる高さが高くなり、振動が収まるまでの時間が長くなる。振動が収まるまでの時間に取得した測定データは、被測定面の形状を表していないデータであり、エラーデータとなる。そこで、振動を検知したら、プローブに素早く力を作用させて、振動を低減する。振動が収まったら、再び弱い接触力で被測定面に倣わせる。この方法により、測定データ全体の中で、エラーデータの数の割合を少なくすることができる。エラーデータの数の割合が少なくなれば、演算処理によってエラーデータを除去しても、求めたい形状情報を損なう影響は小さい。
【先行技術文献】
【特許文献】
【０００９】
【特許文献１】特開平１０−１９５０４号公報
【特許文献２】特開２００７−０５７３０８号公報
【発明の概要】
【発明が解決しようとする課題】
【００１０】
急傾斜面では、走査している間、常に振動のきっかけがある状態が続く。そのため、振動を低減する区間を長い区間に渡って設ける必要がある。しかし、従来技術では、振動を低減する区間で、測定データの信頼性が低くなってしまう。つまり、信頼性が低い区間が長い区間に渡って続くという問題がある。信頼性が低い区間が長い区間に渡って続けば、求めたい形状情報を得ることが困難となる。
【００１１】
そこで、本発明は、振動のきっかけが長い区間に渡る場合であっても、プローブに力を作用させて振動を低減しながら、高精度に被測定面を測定する接触式形状測定装置および方法を提供することを目的とする。
【課題を解決するための手段】
【００１２】
上記目的を達成するために、本出願に係る発明は、プローブを被測定物に接触させつつ被測定物の表面を走査させるとともにプローブの位置を取得することで被測定物の表面の形状を測定する接触式形状測定装置において、所定の周波数よりも高いプローブの動作を低減する作用力を求める作用力制御手段と、求めた作用力に基づいてプローブに加える力を発生する作用力発生手段と、を有することを特徴とする。
【００１３】
また、プローブを被測定物に接触させつつ被測定物の表面を走査させるとともにプローブの位置を取得することで被測定物の表面の形状を測定する接触式形状測定方法において、所定の周波数よりも高いプローブの動作を低減する作用力を求め、求めた作用力に基づいてプローブに力を加えながら、プローブを走査することを特徴とする。
【発明の効果】
【００１４】
本発明の接触式形状測定装置および方法によれば、所定の周波数よりも高周波のプローブの振動を低減することができる。これにより、測定データに表れる短い空間周期のうねり形状を低減できる。また、短い空間周期のうねり形状を低減できることから、振動の振幅が測定箇所によって異なることで生じる長い空間周期のうねり形状も低減できる。一方で、低周波のプローブの振動を低減しないため、プローブは、長い空間周期の被測定面の形状には倣うことできる。つまり、求めたい空間周期に対して、被測定面の形状を表す測定データを高精度に取得することができる。
【００１５】
以上のように、急傾斜面のように振動のきっかけが長い区間に渡る場合であっても、振動を低減しながら、高精度に被測定面を測定することができる。
【００１６】
さらに、プローブの位置情報に対して、微分演算、高周波通過演算、比例係数の乗算を行うことで、簡易な演算で効果的な作用力を求めることができる。
【００１７】
さらに、所定の周波数は、測定対象とする空間周期の下限値の逆数にプローブの走査速度を乗じた値よりも高い値とすることで、測定対象とする空間周期の形状をより高精度に測定することができる。
【図面の簡単な説明】
【００１８】
【図１】本発明に係わる接触式形状測定装置の構成を説明する図である。
【図２】高周波通過微分演算器の特性を示す図である。
【図３】プローブ軌跡をコンピュータ演算した結果を表す図である。
【発明を実施するための形態】
【００１９】
本発明を実施するための形態を図面に基づいて説明する。
【００２０】
図１は、本発明に係わる接触式形状測定装置３０の構成を説明する図である。接触式形状測定装置３０は、ステージ６に支持されているプローブ１を備えている。プローブ１は、被測定物２の被測定面２ａを倣い走査する。プローブ１はリニアガイド３を介して、ハウジング４に支持されている。これにより、ハウジング４に対して１軸方向に移動することができる。つまり、リニアガイド３は、移動方向には摩擦抵抗や粘性抵抗を小さくして動き易く、移動方向に直交する方向には剛性を高くして動き難い構造としている。このような特性を得る手段として、空気軸受が挙げられる。プローブ１とハウジング４の間には、バネ機構５が設けられている。また、ハウジング４はステージ６の被測定物２に対向した下面６ａの先端部に取り付けられている。被測定物２は、台座１４上に載置されている。
【００２１】
ハウジング４が取り付けられているステージ６の先端部には、貫通孔６ｂが設けられている。プローブ１の軸方向の端部１ｄに取り付けられたミラー１ｍの３次元位置データを測定する（後述）。３次元位置の測定データは、信号線２０及び信号線２１を介して測定データ演算手段１３に送られる。また、信号線２２を介して高周波通過微分器１０に送信される。更に、高周波通過微分器１０の出力値は、作用力制御器１１に送信される。
【００２２】
プローブ１は、プローブシャフト１ａ、プローブシャフト１ａの軸方向の一端に取り付けられたプローブチップ１ｂ、プローブチップ１ｂの先端に配置された球１ｃを備えている。プローブシャフト１ａは、ハウジング４の壁から内方に延在するフランジ部４ａの先端に配置されたリニアガイド３により軸方向に移動可能に支持されている。フランジ部４ａは、ハウジング４の軸方向に所定間隔で２箇所に設けられている。
【００２３】
バネ機構５は、リニアガイド３の移動軸に沿った方向に対して、プローブ１とステージ６との相対位置に従った力を発生するバネ要素として働く。本実施例では、リニアガイド３の移動軸は重力方向（Ｚ方向）とする。バネ機構５の手段としては、材料剛性を利用した板バネや磁気力を利用した磁気バネが挙げられる。また、リニアガイド３とバネ機構５を別体の構成としたが、１つの構成で２つの機能を得ることもできる。例えば、プローブ１の上下に板バネを２枚並列に取り付ける構成が挙げられる。
【００２４】
プローブ１とステージ６とのＺ方向の相対位置に関して、プローブ１にかかる重力とバネ機構５によって発生する力がつりあう状態の位置を、中立位置と定義する。プローブ１が被測定面２ａに接している状態で、ステージ６が中立位置から押し込まれると、押し込まれた量に従った力がプローブ１に加わる。このようにしてプローブ１に加わる力を、接触力とする。静的な状態であれば、プローブ１に加わる接触力と同じ力が被測定面２ａのＺ方向にも加わる。また、ステージ６を中立位置から押し込む量を押し込み量とする。
【００２５】
プローブ１の軸方向の他の端部１ｄにはミラー１ｍが取り付けられており、レーザ測長を利用してプローブ１の３次元位置を測定することができる。ステージ６の貫通孔６ｂより更に先端に位置する端部の上面６ｃにはミラー６ｍが取り付けられており、同様にステージ６の３次元位置を測定することができる。ミラー６ｍによって得られた３次元位置の測定データは、信号線２３及び信号線２２を介してＺ駆動制御手段１２に送られる。また、プローブ１とステージ６の３次元位置の測定データから、両者のＺ方向の相対位置を得ることができる。
【００２６】
ステージ６には、Ｚ駆動手段７とＸＹ駆動手段８が取り付けられている。Ｚ駆動手段７は、ステージ６をＺ軸並進方向に駆動することができる。ＸＹ駆動手段８は、ステージ６をＸＹ軸並進方向に駆動することができる。ここで、ステージ６を駆動するための駆動手段の駆動軸は、並進方向や回転方向である。あるいはそれらの組み合わせを適宜変更しても良い。ＸＹ駆動手段８は、ベース部材１５上に載置されている。
【００２７】
ＸＹ駆動手段８を駆動して、ステージ６を直交座標系のＸＹ方向に移動させると、プローブ１はＸＹ方向に移動しながら被測定面ｗのＺ方向の形状に倣う。
【００２８】
この時、同時に次の方法でＺ駆動手段７を駆動する。プローブ１とステージ６の３次元位置の測定データからＺ方向の差を計算し、Ｚ変位とする。Ｚ変位をＺ駆動制御器９に送る。Ｚ駆動制御器９は、前述の中立位置がゼロ点となるようにＺ変位をオフセットして、現在の押し込み量とする。また、Ｚ駆動制御器９には、予め所定の接触力を発生させるために必要な押し込み量が保存されている。ここで、接触力には、プローブ１を被測定面２ａに押し付けて、プローブ１の浮きを生じにくくする作用がある。そのため、ある程度大きい力が必要であるが、被測定面の変形、またはプローブの倒れや曲がりが許容できる程度に小さい力とする。具体的には、０．１ｍＮから１ｍＮの間で設定すると良い。続いて、現在の押し込み量が、必要な押し込み量に近づくようにステージ６のＺ方向の駆動量を求める。求めた駆動量に基づいてＺ駆動手段７に流れる電流を制御し、ステージ６を駆動する。ステージ６が必要な押し込み量となる位置にいれば、プローブ１に所定の接触力が加わる。
【００２９】
プローブ１の３次元位置の測定データのうち、Ｚ方向位置の測定データを、高周波通過微分器１０に送る。高周波通過微分器１０は、高周波通過器と微分器の機能を備えている。高周波通過器は、入力された信号に対して、周波数の高い成分を通過させ、周波数の低い成分を遮断する特性を有し、微分器は、入力された信号を微分した信号を出力する。
【００３０】
図２は、高周波通過微分器１０の特性を示す図である。横軸を周波数、縦軸を利得としている。利得は入力信号と出力信号の比であり、値が大きいほど入力信号に対する出力信号が大きくなることを表す。利得曲線１００が、高周波通過微分器１０の利得と周波数の関係を示している。高周波通過周波数を周波数Ａとする。周波数Ａよりも低い周波数域では、利得が小さくなるように設計されている。入力信号に対して出力信号を遮断する特性を有する。周波数Ａよりも高い周波数域では、周波数が高くなるほど、利得が大きくなるように設計されている。これは、入力信号を微分演算した値を出力信号としているためである。ここで、高周波通過微分器１０の入力信号は、プローブ１のＺ方向位置の測定データである。そのため、出力信号は、周波数Ａよりも高い周波数に対するプローブ１のＺ方向速度データとなる。また、必要に応じて低周波通過器のような他の演算器の機能を付加しても良い。低周波通過器を付加すると、信号ノイズの大きい高周波の信号を遮断することができる。
【００３１】
高周波通過微分器１０の出力値は、作用力制御器１１に送られる。作用力制御器１１は、作用力発生手段１２によってプローブ１に作用する力（作用力）を制御する。作用力については後述する。作用力発生手段１２は、ハウジング４内であって、プローブ１の周囲に配置され、ヨーク、永久磁石、コイルからなる磁気回路で構成されている。作用力制御器１１が、作用力発生手段１２のコイルに流れる電流を制御することで、プローブ１に所望の作用力が加わる。
【００３２】
プローブ１の３次元位置の測定データは、測定データ演算手段１３にも送られる。被測定面２ａの全面を走査して測定データを取得した後、測定データ演算手段１３は、必要に応じて測定データを解析し、形状情報として出力する。形状情報は、光学素子の性能評価、あるいは形状を修正加工するための加工機への指令値に用いられる。
【００３３】
ここでプローブ１に加える作用力について説明する。作用力は、高周波通過微分器１０の出力値に比例係数を乗じて求める。高周波通過微分器１０の出力値は、周波数Ａよりも高い周波数に対するプローブ１のＺ方向速度データである。一般に速度に比例係数を乗じた力を加えると、粘性特性を得ることができる。ここでは、周波数Ａよりも高い周波数に対するプローブ１の動きに対して粘性特性が働く。周波数Ａよりも高い周波数の振動を低減できる。一方で、周波数Ａよりも低い周波数の振動に対しては、粘性特性が作用しない。周波数Ａよりも低い周波数では、プローブ１は被測定面２ａの形状に倣うことができる。
【００３４】
また、作用力は被測定面２ａに向かう方向に限定しても良い。このようにすると、プローブ１が被測定面２ａから離れる方向に力が作用しないため、プローブの浮きを抑えることができる。
【００３５】
所定の周波数Ａの設定方法について説明する。求めたい形状情報を、被測定面２ａの全面から０．１ｍｍまでの空間周期で表される形状と定める。ただし、測定データは、０．１ｍｍよりも短い空間周期まで測定できることが望ましい。例えば、０．１ｍｍの１０分の１である０．０１ｍｍまで測定することを目標とする。そのためには、０．０１ｍｍ以上の空間周期の正弦波のうねりにプローブが追従することが、必要である。プローブ１を０．１ｍｍ／秒でＸＹ方向に走査すると設定する。この時、０．０１ｍｍ以上の空間周期の正弦波のうねりにプローブが追従するためには、０．０１ｍｍを０．１ｍｍ／秒で割って、０．１秒以上の時間周期でプローブ１がＺ方向に動作可能であれば良い。時間周期を周波数に変換すると、０．１秒の逆数を計算して、１０Ｈｚである。１０Ｈｚ以下の周波数でプローブ１がＺ方向に動作可能であれば良い。言い換えると、プローブ１は、１０Ｈｚより高い周波数では動作しにくくても、目標とする空間周期で測定データを取得できる。このような特性を得るために、高周波通過周波数である周波数Ａを、１０Ｈｚよりも高く設定する。例えば、３０Ｈｚに設定する。以上のことから、所定の周波数Ａは、測定対象とする空間周期の下限値の逆数にプローブの走査速度を乗じた値よりも高い値であると言える。
【００３６】
図３は、プローブ軌跡をコンピュータ演算した結果を表す図である。プローブとステージに外乱を加えており、振動しやすい状態を再現している。被測定面２ａは、Ｘ方向に角度７０度で傾斜しており、０．０５ｍｍの空間周期の正弦波のうねりが形作られている。プローブ１を、傾斜上り方向（Ｘ方向）に走査速度０．１ｍｍ／秒で走査する。ここで、０．０１ｍｍまでの空間周期で表される形状を測定することを目標とすれば、７０度の傾斜面や０．０５ｍｍの空間周期の正弦波のうねりを測定できなければならない。
【００３７】
図３（ａ）のプローブ軌跡２００は、弱い接触力だけを作用させて走査した時のプローブ１の挙動を表している。図３（ｂ）のプローブ軌跡２０１は、プローブ１とステージ６との間に粘性特性を作用させた時のプローブの挙動を表している。図３（ｃ）のプローブ軌跡２０２は、本発明に係わる測定方法によって走査した時のプローブ１の挙動を表している。プローブ１は左から右に走査している。なお、見やすいように角度７０度の傾斜成分を除去して表示している。プローブ軌跡２００は、外乱によって大きな振動が生じている。そのため、０．０５ｍｍの空間周期の正弦波のうねりを評価することが難しい。プローブ軌跡２０１は、プローブ軌跡２００の振動と比べて小さいものの、振動が生じている。この場合も、０．０５ｍｍの空間周期の正弦波のうねりを高精度に評価することが難しい。プローブ軌跡２０２は、振動が小さく、０．０５ｍｍの空間周期の正弦波のうねりに良く追従している。このように、本発明によって、被測定面２ａの形状を高精度に測定することができる。
【００３８】
本実施例では、ステージをＸＹ方向に送って、プローブ１をＺ方向に倣わせている。そのため、プローブ１のＺ方向位置の測定データを高周波通過微分器１０の入力信号としている。その他に、ステージ６を被測定面２ａのおおよそ接線方向に送って、プローブ１をおおよそ法線方向に倣わせる構成も考えられる。その時は、プローブ１のおおよそ法線方向位置の測定データを高周波通過微分器１０の入力信号とすると良い。
【００３９】
高周波通過微分器１０の入力信号として、プローブ１とステージ６との相対位置の測定データを入力信号としても良い。または、被測定面２ａのおおよその形状を推定し、プローブ１が振動なく被測定面２ａを倣い走査しているとした場合の推定データとの差を入力信号としても良い。
【００４０】
本実施例では、位置データから、高周波通過速度データを計算した後、作用力を求めたが、次の手順で作用力を求めても良い。まず位置データに対して通常の微分演算を行い、速度データを取得する。速度データに比例係数を乗じる。速度データに比例係数を乗じた値に対して、高周波通過演算を行い、作用力を求める。
本実施例では、微分演算を１回行った速度データに比例係数を乗じて、粘性特性を作用させているが、次のような特性を作用させても良い。微分演算を行わずに位置データに比例係数を乗じて、剛性特性を作用させることもできる。２階微分演算、もしくは微分演算を２回行った加速度データに比例係数を乗じて、慣性特性を作用させることもできる。または、粘性特性、剛性特性、慣性特性の少なくとも２つ以上を組み合わせて作用させることもできる。ここで、加速度データは、位置データを二階微分、または速度データを一階微分して得られる。
【００４１】
また、上記に加えて、位置データからプローブ１に作用力を作用させる間のいずれかのタイミングで、低周波通過演算や帯域遮断演算の処理を行って、不要な周波数の信号を遮断しても良い。
【符号の説明】
【００４２】
１      プローブ
２      被測定物
２ａ    被測定面
３      リニアガイド
４      ハウジング
５      ばね機構
６      ステージ
７      Ｚ駆動手段
８      ＸＹ駆動手段
９      Ｚ駆動制御器
１０    高周波通過微分器
１１    作用力制御器
１２    作用力発生手段
１３    測定データ演算手段
３０      接触式形状測定装置
１００  利得曲線
２００、２０１、２０２  プローブ軌跡
Ａ      所定の周波数（高周波通過周波数）
【図１】
2014115085.tif 000003
【図２】
2014115085.tif 000004
【図３】
2014115085.tif 000005